(57)【要約】      （修正有）【課題】装着が簡単で、多種多様のメガネに適合し、くり返し使用できる。【解決手段】サングラスとする一枚レンズ形状からなるフイルム３の左右両辺２に、それぞれ、切断部が断続したミシン目形態の切り取り線や、適宜な深さの刃入れ形態からなる切り取り線など、任意な形態の切り取り線を、任意のピッチで予め複数設けておく。そして、装着の対象とするメガネの横サイズ寸法に合致する寸法位置に位置する切り取り線から、フイルムの左右両辺の一部を切り離して、装着の対象とするメガネに、フイルムからなるサングラスの横サイズ寸法をきっちりと合致させるようにするものである。【選択図】図６
0003101838.tif 000002
【実用新案登録請求の範囲】
【請求項１】
任意な一枚レンズ形状に成形されたサングラスとするフイルム（１）の左右両辺に、それぞれ、切り取り線（２）を、任意のピッチで複数設けたのを特徴とする、フイルムからなるサングラス。
【考案の詳細な説明】
【技術分野】
【０００１】本考案は、ネガネに装着するタイプの、フイル厶からなるサングラスに関するものである。
【背景技術】
【０００２】メガネに装着するタイプのサングラスとしては、クリップオン方式と磁石オン方式など、メガネレンズの外側に装着する、ガラス又はプラスチックなどの二枚で一対のレンズからなる跳ね上げ式サングラスが主流として存在する。
又、任意な一枚レンズ形状に成形され、なおかつ、メガネの鼻パット部を活用して、メガネレンズの内側に装着する、極めて軽量なフイルムからなるサングラスが近年開発されて存在する。
さらに、片面に粘着剤を塗布した薄膜のような柔らかいカラーフイルムを、ネガネの左右のレンズに、それぞれ別々に貼着して、普通のメガネをサングラスとする、レンズ貼着方式のサングラスフイルムも考案されている。
【考案の開示】
【考案が解決しようとする課題】
【０００３】  ガラス又はプラスチックなどの二枚で一対のレンズからなる跳ね上げ式サングラスは、僅かな重さだが、レンズ部がそれなりに重く、装着されるメガネ自身の重さに加味されて、以外と重量感が感じられるという欠点があった
それから、鼻パット部を活用してメガネレンズの内側に装着する方式のフイルムからなるサングラスは、跳ね上げ式サングラスの欠点である重量感を解消する為に開発されたが、様々なフレーム形状や、大小のサイズの違いなどが存在する一般のメガネにおいては、鼻パットの位置や形状等の問題で、装着不可能なタイプのメガネが多々存在するという新たな問題があった。
又、レンズ貼着方式のサングラスフイルムは、メガネの左右のレンズに、それぞれ別々に貼着する手間が煩雑で簡易性に欠けるのと、一回毎の使い捨てとなる問題があった。
【課題を解決するための手段】
【０００４】サングラスとするフイルムを、任意な一枚レンズ形状に成形し、なおかつ、その一枚レンズ形状に成形したサングラスとするフイルムの横サイズ寸法を、一般のメガネの大中小の各サイズの横寸法より、それぞれ、長めの寸法に設定する。
そして、その横サイズ寸法を長めに設定した、サングラスとする一枚レンズ形状からなるフイルムの左右両辺に、フイルムを切り取って横サイズ寸法を調整する為の、任意な形態からなる切り取り線を、任意なピッチで複数本設けておくのを大きな狙いとするものである。
【考案の効果】
【０００５】  本考案のメガネに装着するタイプとするフイルムからなるサングラスは、多種多様な形状やサイズが存在する一般のメガネの横サイズ寸法に、フイルムの左右両辺を、それぞれ切り取って、きっちりと横サイズ寸法を合致させて装着させることが可能となるので、極めて軽いフイルムからなるサングラスを、多くの一般のメガネに、使い捨てでは無く、何回でも繰り返して装着することができる。
【考案を実施するための最良の形態】
【０００６】  任意な一枚レンズ形状にカット又は成形された、紫外線カット機能や偏向機能又は減光機能などを施した任意な一枚レンズ形状からなるサングラスとするフイルム（１）の、左右両辺に、それぞれ、縦目、又は、縦目と横目の双方に、任意な形態からなる直線又は曲線などの任意な線による切り取り線（２）を、任意のピッチで複数設けるようにしたものである。
【第一実施例】
【０００７】［図１］で示すように、任意な一枚レンズ形状にカット又は成形された、紫外線カット機能や偏光機能などの意図する機能を施したサングラスとするフイルム（１）の左右両辺に、それぞれ、［図２］で示すように、縦目に、切断部が断続したミシン目形態の、任意な直線や曲線などからなる切り取り線（２）を、任意のピッチで複数本設け、これをもって、本考案の第一実施例による、フイルムからなるサングラス（３）とする。
第一実施例によるフイルムからなるサングラス（３）は、［図３］で示すように、左右両辺に設けられた複数の切り取り線（２）の中の、意図する寸法位置に位置する切取線（２）から、フイルムの左右両辺を、それぞれ切り離して、フイルムの横サイズ寸法を調整する。
【第二実施例】
【０００８】任意な一枚レンズ形状にカット又は成形された紫外線カット機能や偏光機能など意図する機能を施したサングラスとするフイルム（１）の左右両辺に、それぞれ、［図４］で示すように、縦目と横目の双方向に、切断までは至らない適宜な深さの刃入れ形態からなる、任意な直線や曲線などによる切り取り線（２）を、任意のピッチで複数本設け、これをもって、本考案の第二実施例による、フイルムからなるサングラス（３）とする。
第二実施例によるフイルムからなるサングラス（３）は、縦目と横目の双方の意図する位置の切取線（２）を活用した縦と横の組み合わせによる切り離しによって、左右両辺を、［図５］で示すような突起部を形成した形状の他、凹凸などの幾つかの任意な形状で横サイズ寸法の調整をすることが可能となる。
第一実施例、第二実施例による、本考案のフイルムからなるサングラス（３）は、［図６］で示すように、装着の対象とするメガネ（４）の横サイズ寸法に合致する寸法位置に位置する切り取り線（２）から、左右両辺を、それぞれ、切り離してフイルムの横サイズ寸法を合致させる。
そして、左右両辺を切り取り線（２）から切り取って、横サイズ寸法を、装着の対象とするメガネ（４）の寸法に合致させた、フイルムからなるサングラス（３）を、［図７］で示すように、装着の対象とするメガネ（４）の内側に、メガネレンズに重ねるように位置させて合致装着させる。
なお、本考案のフイルムからなるサングラス（３）は、横長寸法を、装着の対象とするメガネ（４）の横長寸法より、若干、適宜な長めの寸法に調整してやると、装着の対象とするメガネ（４）の両サイドに位置した耳掛け部材とするテンプルフレームの内側面に、軽く押し込まれて反り弾力を発生させたフイルム状態で当接されるので、装着の対象とするメガネ（４）のレンズ部に密着された良好な状態で装着される。
又、切り取り線（２）の形態としては、第一実施例、第二実施例で示した形態の他、切断までは至らない適宜な深さの刃入れ形態の中に、ミシン目のような切断部を断続して設けた、切断までは至らない刃入れとミシン目の複合した形態なども考えられる。
【産業上の利用可能性】
【０００９】
【図面の簡単な説明】
【００１０】
【図１】任意な一枚レンズ形状からなるサングラスとするフイルム（１）を示した斜視図である。
【図２】任意な一枚レンズ形状からなるサングラスとするフイルムの左右両辺に、縦目に、切断部が断続したミシン目形態の切取線（２）を、任意のピッチで複数設けてなる、本考案の第一実施例による、フイルムからなるサングラス（３）を示した平面図である。
【図３】本考案の第一実施例による、フイルムからなるサングラス（３）の左右両辺を、意図する寸法位置の切り取り線（２）から、それぞれ切り離した状態を示した平面図である。
【図４】任意な一枚レンズ形状からなるサングラスとするフイルム（１）の左右両辺に、縦目と横目の双方の、切断までは至らない適宜な深さの刃入れ形態からなる、任意な直線や曲線などによる切り取り線（２）を、任意のピッチで複数設けてなる、本考案の第二実施例による、フイルムからなるサングラス（３）を示した平面図である。
【図５】本考案の第二実施例による、フイルムからなるサングラス（３）の左右両辺を、意図する寸法位置の縦目と横目の切り取り線（２）を活用して、突起部が出来るように切り取った一例を示した平面図である。
【図６】本考案のフイルムからなるサングラス（３）の横サイズ寸法を、装着の対象とするメガネ（４）の横サイズ寸法に合わせて、左右両辺の余分なフイルムを、切取線（２）から切り取って横サイズ寸法を調整したのを示した斜視図である。
【図７】装着の対象とするメガネ（４）の横サイズ寸法に合わせた、本考案のフイルムからなるサングラス（３）を、その、装着の対象とするメガネ（４）の内側に、きっちりと装着したのを示した斜視図である。
【符号の説明】
【００１１】（１）サングラスとするフイルム
（２）切り取り線
（３）フイルムからなるサングラス
（４）装着の対象とするメガネ
【図１】
0003101838.tif 000003
【図２】
0003101838.tif 000004
【図３】
0003101838.tif 000005
【図４】
0003101838.tif 000006
【図５】
0003101838.tif 000007
【図６】
0003101838.tif 000008
【図７】
0003101838.tif 000009